(57)【要約】【課題】  二軸混練押出し機を用いた機械練り法で、工程が複雑になることなく、透明度が高く、しかもバラツキなく安定した透明度で、透明石鹸を製造することができる透明石鹸組成物の製造方法を提供する。【解決手段】  二軸混練押出し機１のバレル２に、脂肪酸石鹸３を押出し方向の基部側の位置において、透明化剤４を押出し方向の先部側の位置において、それぞれ個別に連続的に供給しながら、脂肪酸石鹸３と透明化剤４をバレル２内の二軸の混練スクリュー５で混練して押出す。脂肪酸石鹸３と透明化剤４が分離するようなことなく均一な状態で混練することができ、透明度が高く、しかもバラツキなく安定した透明度で透明石鹸組成物を得ることができる。【選択図】  図１
2006028239.tif 000002
【特許請求の範囲】
【請求項１】
二軸混練押出し機のバレルに、脂肪酸石鹸を押出し方向の基部側の位置において、透明化剤を押出し方向の先部側の位置において、それぞれ個別に連続的に供給しながら、脂肪酸石鹸と透明化剤をバレル内の二軸の混練スクリューで混練して押出すことを特徴とする透明石鹸組成物の製造方法。
【請求項２】
二軸混練押出し機のバレルから混練して押出された上記の混練物を押出し方向の基部側の位置において、透明化剤を押出し方向の先部側の位置において、それぞれ個別に二軸押出し機のバレルに連続的に供給しながら、混練物と透明化剤をバレル内の二軸の混練スクリューで混練して押出すことを特徴とする請求項１に記載の透明石鹸組成物の製造方法。
【請求項３】
香料、保湿剤、着色剤、キレート剤から一種以上選ばれる添加剤を二軸混練押出し機のバレルに連続的に供給しながら、上記の混練・押出しを行なうことを特徴とする請求項１又は２に記載の透明石鹸組成物の製造方法。
【請求項４】
請求項１乃至３のいずれかの方法で二軸混練押出し機から押出された透明石鹸組成物を、所定形状に成形することを特徴とする透明石鹸の製造方法。
【発明の詳細な説明】
【技術分野】
【０００１】
本発明は、機械練り法による透明石鹸組成物の製造方法及び透明石鹸の製造方法に関するものである。
【背景技術】
【０００２】
透明石鹸は、脂肪酸石鹸を基材とし、またショ糖、グリセリン、ソルビトール、プロピレングリコールあるいはその他のポリオールなどを透明化剤として用い、脂肪酸石鹸に透明化剤を混合して透明石鹸組成物を調製し、この透明石鹸組成物を成形することによって製造されている。そして透明石鹸を製造する方法としては、一般に枠練り法と機械練り法の二通りの製造法が知られている。
【０００３】
枠練り法は、脂肪酸石鹸と透明化剤をエタノール等の低級アルコールと水の混合溶液など溶媒に加熱溶解した後、冷却固化し、１〜３ヶ月間熟成乾燥した後に、所定形状に型打ちすることによって製品を得る方法である（例えば、特許文献１等参照）。この枠練り法で製造された透明石鹸は、透明性は優れているものの、製造に長時間を要するために生産効率が悪く、また長期間熟成放置するために広い場所が必要となる等の問題があり、さらに品質面において、高温多湿雰囲気では透明石鹸が溶け崩れたり、あるいは寒冷下では透明石鹸に亀裂が生じたりするなどの問題がある。
【０００４】
一方、機械練り法は、脂肪酸石鹸と透明化剤を混練するにあたって、低級アルコールと水の混合溶液などの溶媒を用いず、脂肪酸石鹸に透明化剤を加えた後に、機械的な力で脂肪酸石鹸の結晶を微細化して透明性を出すようにしたものであり、生産効率が高く、熟成放置を行なうことも不要になるという利点がある。このような機械練り法では、結晶を微細化して脂肪酸石鹸と透明化剤とを混練することが必要であるので、特殊なキャビティ構造を持った一軸混練押出し機を用いる方法（特許文献２参照）や、二軸混練押出し機を用いる方法（特許文献３参照）が、提案されている。
【特許文献１】特公昭４５−１８９８４号公報
【特許文献２】特開昭５８−２０８３９９号公報
【特許文献３】特開昭６４−２００号公報
【発明の開示】
【発明が解決しようとする課題】
【０００５】
しかしながら、機械練り法では、枠練り法によるものと比較すると、透明度が悪く、商品価値の低い透明石鹸しか得ることができないのが現状であり、またロット内あるいはロット間での石鹸の透明度に大きなバラツキが生じるという問題があった。
【０００６】
機械練り法では、脂肪酸石鹸と透明化剤とを一旦混合し、この混合物を混練押出し機に投入して混練を行なうようにしているが、機械練り法による上記の問題の原因は、この方法自身にあると考えられる。
【０００７】
すなわち、脂肪酸石鹸は径が３〜８ｍｍ、長さが１５〜２５ｍｍの粒状であるものが一般的であり、一方、透明化剤はその殆どが液状であり、両者を混合すると、脂肪酸石鹸の表面が透明化剤でベタベタして取り扱い難い配合物となり、混練押出し機に投入することが困難になる。このため、脂肪酸石鹸に対する透明化剤の添加量が自ずと制限され、目的とする透明性を確保することができなくなるのである。また多量の透明化剤を配合する場合、取り扱いがより困難になるだけでなく、脂肪酸石鹸と透明化剤が固液分離し易く、均一な混練が困難になって均一な組成の透明石鹸組成物を得ることができなくなり、ロット内あるいはロット間の透明石鹸の透明性にバラツキが生じることになるものである。
【０００８】
このような問題に対処するために、脂肪酸石鹸と透明化剤との混合物を加熱溶融してニートソープ化した後、あるいは三本ロールなどを用いて機械的に均一混合した後、混練押出し機に投入する方法が提案されているが、これらの方法は工程が複雑になると共に、コストアップに直接繋がるので、実用的であるとはいえない。
【０００９】
本発明は上記の点に鑑みてなされたものであり、二軸混練押出し機を用いた機械練り法で、工程が複雑になることなく、透明度が高く、しかもバラツキなく安定した透明度で、透明石鹸を製造することができる透明石鹸組成物の製造方法及び透明石鹸の製造方法を提供することを目的とするものである。
【課題を解決するための手段】
【００１０】
本発明の請求項１に係る透明石鹸組成物の製造方法は、二軸混練押出し機１のバレル２に、脂肪酸石鹸３を押出し方向の基部側の位置において、透明化剤４を押出し方向の先部側の位置において、それぞれ個別に連続的に供給しながら、脂肪酸石鹸３と透明化剤４をバレル２内の二軸の混練スクリュー５で混練して押出すことを特徴とするものである。
【００１１】
この発明によれば、押出し方向の基部側の位置においてバレル２に投入される脂肪酸石鹸３の固形粒子を二軸の混練スクリュー５で潰しながら、押出し方向の先部側の位置においてバレル２に投入される液状の透明化剤４を混合することができ、脂肪酸石鹸３と透明化剤４を個別に取り扱い性の良い状態で二軸混練押出し機１に投入することができると共に、脂肪酸石鹸３と透明化剤４が分離するようなことなく均一な状態で混練することができるものであり、脂肪酸石鹸３に対して必要量の透明化剤４を均一に混練することができ、透明度が高く、しかもバラツキなく安定した透明度で透明石鹸組成物を得ることができるものである。
【００１２】
また請求項２の発明は、請求項１において、二軸混練押出し機１のバレル２から混練して押出された上記の混練物８を押出し方向の基部側の位置において、透明化剤４を押出し方向の先部側の位置において、それぞれ個別に二軸押出し機１のバレル２に連続的に供給しながら、混練物８と透明化剤４をバレル２内の二軸の混練スクリュー５で混練して押出すことを特徴とするものである。
【００１３】
この発明によれば、上記のように二軸押出し機１で混練して押出した脂肪酸石鹸３と透明化剤４の混練物８を、脂肪酸石鹸３の代りにバレル２に投入して、二軸混練押出し機１で透明化剤４と再度混練することによって、より均一に透明化剤４を混合することが可能になり、透明性を一層高めることができるものである。
【００１４】
また請求項３の発明は、請求項１又は２において、香料、保湿剤、着色剤、キレート剤から一種以上選ばれる添加剤７を二軸混練押出し機１のバレル２に連続的に供給しながら、上記の混練・押出しを行なうことを特徴とするものである。
【００１５】
この発明によれば、二軸の混練スクリュー５で混練を行ないながら、各種の添加剤７を均一に混合することができるものである。
【００１６】
本発明の請求項４に係る透明石鹸の製造方法は、請求項１乃至３のいずれかの方法で二軸混練押出し機１から押出された透明石鹸組成物６を、所定形状に成形することを特徴とするものである。
【００１７】
この発明によれば、上記のようにして、透明度が高く、しかもバラツキなく安定した透明度で調製した透明石鹸組成物６から、透明度が高く且つ安定した透明度の透明石鹸を得ることができるものである。
【発明の効果】
【００１８】
本発明によれば、押出し方向の基部側の位置においてバレル２に投入される脂肪酸石鹸３の固形粒子を二軸の混練スクリュー５で潰しながら、押出し方向の先部側の位置においてバレル２に投入される液状の透明化剤４を混合することができ、脂肪酸石鹸３と透明化剤４を個別に取り扱い性の良い状態で二軸混練押出し機１に投入することができると共に、脂肪酸石鹸３と透明化剤４が分離するようなことなく均一な状態で混練することができるものであり、脂肪酸石鹸３に対して必要量の透明化剤４を均一に混練することができ、透明度が高く、しかもバラツキなく安定した透明度で透明石鹸組成物を得ることができるものである。
【００１９】
従って、機械的な剪断力を加えて結晶を微細化することによって透明性を出す、二軸混練押出し機を用いた機械練り法で、脂肪酸石鹸と透明化剤を事前に加熱溶融したり機械混合したりするような煩わしく複雑な工程を必要とすることなく、透明度が高く且つ安定した透明度の透明石鹸を製造することができるものである。
【発明を実施するための最良の形態】
【００２０】
以下、本発明を実施するための最良の形態を説明する。
【００２１】
図１は本発明に用いる装置の一例を示すものであり、二軸混練押出し機１はバレル２内に平行な二軸の混練スクリュー５を配置することによって形成されるものであって、二軸の混練スクリュー５は後端の電動機など駆動装置１１で同期回転駆動されるようになっている。本発明では、二軸混練押出し機１として、二軸の混練スクリュー５が図２のように完全に噛み合って同方向に回転する噛合い型同方向回転二軸押出し機を用いるのが好ましい。二軸の混練スクリュー５としては、図２に図示するような螺旋スクリューの他に、ニーディングディスクやロータセグメントなどを設け、混練効果を高めるようにしたものを用いることができる。
【００２２】
バレル２の上面には、押出し方向に対する基部側の端部の位置においてホッパー１２が設けてあり、このホッパー１２より押出し方向での先部側の位置において液注入口１３が設けてある。またバレル２の上面には、この液注入口１３よりさらに押出し方向での先部側の位置において第二注入口１４が設けてあり、この第二注入口１４よりさらに押出し方向での先部側の位置において真空ベント１５が設けてある。真空ベント１５には真空ポンプなど真空装置１６が接続してある。そしてバレル２の先端には押出し口１７が設けてある。
【００２３】
ここで、バレル２のうち、ホッパー１２の位置（バレル２へのホッパー１２の開口中心位置）から混練スクリュー５の先端までの間の範囲が混練・押出し部１９となるが、液注入口１３は、この混練・押出し部１９の始点１９ａと終点１９ｂの中間点よりホッパー１２の側の位置に設置するのが好ましく、始点１９ａから始点１９ａと終点１９ｂとの間の距離の１／３以内に設置するのがより好ましい。
【００２４】
そして本発明において、脂肪酸石鹸としては特に限定されるものではないが、例えば、カプリル酸、カプリン酸、ラウリン酸、ミリスチン酸、パルミチン酸、ステアリン酸、イソステアリン酸、オレイン酸、ヤシ油脂肪酸、パーム油脂肪酸、パーム核油脂肪酸、牛脂脂肪酸など動植物由来の炭素数が８〜２２の直鎖又は分岐の脂肪酸から構成される脂肪酸塩を用いることができる。塩を形成するためのアルカリとしては、水酸化カリウム、水酸化ナトリウム、アルカノールアミン、塩基性アミノ酸やこれらの混合物を用いることができる。
【００２５】
また透明化剤についても、特に制限されることなく用いることができるが、例えば、水、ショ糖、グリセリン、ソルビトール、ポリエチレングリコールあるいはその他のポリオールなど、従来から使用されている各種の化合物を、単独であるいは２種以上を混合して使用することができる。
【００２６】
しかして、この脂肪酸石鹸３と透明化剤４を用いて、上記の二軸混練押出し機１で透明石鹸組成物を調製するにあたっては、二軸の混練スクリュー５を所定の速度で回転させながら、脂肪酸石鹸３をホッパー１２から、透明化剤４を液注入口１３から、それぞれバレル２に供給する。ここで、脂肪酸石鹸３は通常、直径３〜８ｍｍ、長さ１５〜２５ｍｍの円柱状の粒状物（チップ状物）であるので、スクリュー式フィーダーなどの定量供給機２１を用いて、時間当たり所定の一定量で連続的にホッパー１２に投入するようにしてあり、また透明化剤４は通常、液状であるので、定量供給ポンプ２２を用いて、時間当たり所定の一定量で液注入口１３に供給するようにしてある。脂肪酸石鹸３と透明化剤４は同期してバレル２に供給されるものであるが、脂肪酸石鹸３と透明化剤４のそれぞれの供給量は、脂肪酸石鹸３が１００質量部に対して、透明化剤４が５〜４０質量部の範囲、より望ましくは１０〜３５質量部の範囲になるように設定するのが好ましい。
【００２７】
このように脂肪酸石鹸３を二軸押出し機１のバレル２に供給するにあたって、脂肪酸石鹸３は透明化剤４と混合されていずベタベタした状態ではなく、流動し易い粒状であるので、ホッパー１２からバレル２内に脂肪酸石鹸３をスムーズに投入して供給することができるものである。またホッパー１２はバレル２の基部の側に位置しているので、ホッパー１２からバレル２内に供給された脂肪酸石鹸３は、まず単独で、二軸の混練スクリュー５による剪断作用を受けてすり潰される。そして液注入口１３はホッパー１２より押出し方向の先部側に位置しているので、このようにすり潰された状態で送られてきた脂肪酸石鹸３に液状の透明化剤４が練り合わされるように混合されることになり、脂肪酸石鹸３に透明化剤４を均一に混合することができるものである。
【００２８】
このようにしてバレル２内で混合された脂肪酸石鹸３と透明化剤４は、混練されながらバレル２内を押出し口１７の方向に送られるが、二軸の混練スクリュー５によって脂肪酸石鹸３と透明化剤４の混合物に機械的な剪断力を掛けて、結晶を微細化することができるものであり、透明性に優れた混練物を得ることができるものである。そしてこの混練物をバレル２の先端の押出し口１７から押出すことによって、透明性が高く、しかも透明化剤４が均一に混合されていて透明性にバラツキのない透明石鹸組成物６を得ることができるものである。
【００２９】
上記のように脂肪酸石鹸３と透明化剤４を個別にバレル２に定量的に供給して二軸混練押出し機１で混練する際に、さらに必要に応じて、これらの脂肪酸石鹸３と透明化剤４とは別に添加剤７を第二注入口１４から供給することによって、添加剤７を配合した透明石鹸組成物６を得ることができる。このようにバレル２内で脂肪酸石鹸３と透明化剤４を混練しながら添加剤７を添加することによって、微量成分の添加剤７を透明石鹸組成物６に均一に混合することができるものである。添加剤７としては、例えば、香料、保湿剤、着色剤、キレート剤から選ばれる一種以上のものを用いることができる。またこの他に、固形石鹸に通常用いられる成分、例えば、過脂剤、動植物抽出エキス類、体質顔料、紫外線吸収剤、殺菌剤、抗炎症剤などを併用することもできる。
【００３０】
上記のようにして、バレル２の先端の押出し口１７から棒状に押出される透明石鹸組成物６を型打ち機２４に通して、所定の寸法・形状に型打ちして成形することによって、固形の透明石鹸Ａを得ることができるものである。ここで、上記のように二軸混練押出し機１のバレル２には真空ベント１５が設けてあり、バレル２内を減圧して混練物中に含まれる空気を脱気することによって、締まりの良い、気泡を含有しない、より高品位の透明石鹸Ａを得ることができるものである。
【００３１】
尚、二軸混練押出し機１で混練して棒状に押出した透明石鹸組成物６を、上記のようにそのまま型打ち成形することによって透明石鹸Ａを製造することができるが、二軸混練押出し機１から押出された透明石鹸組成物６を粗砕し、これを化粧石鹸製造用に使用される通常の押出し機に投入して棒状に押出し、これを型打ち成形して透明石鹸Ａを製造するようにしてもよい。
【００３２】
図３は本発明の他の実施の形態を示すものである。上記のように、脂肪酸石鹸３と透明化剤４を二軸混練押出し機１で混練押出しすることによって、脂肪酸石鹸３と透明化剤４及び必要に応じて配合される添加剤７の混練物８を得ることができるものであり、上記図１の実施の形態ではこの混練物８を透明石鹸組成物６として、透明石鹸Ａの成形に用いるようにしたが、図３の実施の形態では、この混練物８を再度、二軸混練押出し機１に通して、透明化剤４と混合しながらさらに混練することによって、より透明性の高い透明石鹸組成物６を調製することができるようにしたものである。この場合、二軸混練押出し機１の押出し口１７から上記のように押出された混練物８は粒状にして、二軸混練押出し機１に供給されるものであり、二軸混練押出し機１の押出し口１７から混練物８を押出した後に粗砕して粒状にするようにしてもよく、あるいは押出し口１７に孔明きのブレーカープレートを設け、混練物８をヌードル状に押出してカットすることによって粒状にするようにしてもよい。
【００３３】
そして脂肪酸石鹸３の代りに粒状の混練物８を定量供給機２１で、時間当たり所定の一定量で連続的にホッパー１２に投入すると共に、透明化剤４を定量供給ポンプ２２で、時間当たり所定の一定量で液注入口１３に供給する。このように混練物８と透明化剤４を二軸混練押出し機１に供給することによって、図１の実施の形態の場合と同様にして、バレル２内で混練物８に透明化剤４を均一に混合することができると共に二軸の混練スクリュー５によって混練物８と透明化剤４を混練することができるものである。このとき必要に応じて上記と同様に、添加剤７をさらに添加することもできる。
【００３４】
このように脂肪酸石鹸３と透明化剤４との混練物８を二軸混練押出し機１に再度通し、透明化剤４を混合しながら混練することによって、透明性がより高くなる理由は明確ではないが、次のように推察される。すなわち、脂肪酸石鹸３に剪断を加えて結晶を微細化することによって透明化するためには、一定量の透明化剤４が共存することが必要であるが、透明性を得るには透明化剤４は共存するだけでなく、脂肪酸石鹸３の分子間に均一に透明化剤４が入り込む必要がある。そして一般に透明化剤４は脂肪酸石鹸３と相溶性のあるものが多いが、機械的な混練では脂肪酸石鹸３の分子間隙にまで均一に入り込むことは難しい。これに対して、脂肪酸石鹸３と透明化剤４を二軸混練押出し機１で混練した後、この混練物８にさらに透明化剤４を混合して二軸混練押出し機１で混練するようにすると、一度目の混練によって透明化剤４で脂肪酸石鹸３を膨潤させて脂肪酸石鹸３の分子間隙を広げ、二度目以降に添加された透明化剤４が脂肪酸石鹸３の分子間隙に取り込まれ易くなり、この結果、透明化剤４が脂肪酸石鹸３の分子間隙にまで均一に入り込み、透明性がより高くなるものと推察されるものである。
【００３５】
二軸混練押出し機１から押出された混練物８を、上記のように二軸混練押出し機１に再度通して混練することによって、透明石鹸組成物６を得ることができるものであり、バレル２の先端の押出し口１７から棒状に押出される透明石鹸組成物６を型打ち機２４に通して、所定の寸法・形状に型打ちして成形することによって、固形の透明石鹸Ａを得ることができるものである。ここで、混練物８を二軸混練押出し機１に通す回数は、一回であってもよいが、複数回通すようにしてもよい。二軸混練押出し機１に通す回数を多くすることによって、得られる透明石鹸組成物６の透明性をより高めることができるものである。またこのように混練物８を二軸混練押出し機１に通して透明石鹸組成物６を調製する場合、二軸混練押出し機１への透明化剤４の供給量は複数回に分けて行なわれることになるので、脂肪酸石鹸３に対する透明化剤４の配合総量を多くすることができ、透明化剤４の増量によっても透明性を高めることができるものである。
【実施例】
【００３６】
次に、本発明を実施例によって具体的に説明する。
【００３７】
（実施例１）
二軸混練押出し機１として、神戸製鋼株式会社製「ＨＹＰＥＲＫＴＸ  ８５ＸＨＴ−ＳＳ」（混練スクリュー５…形式：完全噛合い、回転方向：同方向、呼称径：８５ｍｍ、噛合率：１．６２、構成方式：セグメント方式、長径比（Ｌ／Ｄ）：４３．２）を用いた。
【００３８】
そしてこの二軸混練押出し機１の混練スクリュー５を６０ｒｐｍで回転駆動しながら、パーム油・パーム核油脂肪酸石鹸３を定量供給機２１から二軸混練押出し機１のホッパー１２に、１時間当たり１５０ｋｇの量で定量且つ連続的に投入し、またこの供給と同期させて、グリセリン１５質量％、ソルビトール１９質量％、水５１質量％、オレイン酸１５質量％の組成の透明化剤４を定量供給ポンプ２２から二軸押出し機１の液注入口１３に、１時間当たり２９．５ｋｇの量で定量且つ連続的に投入した。
【００３９】
脂肪酸石鹸３が二軸混練押出し機１に投入されてから押出し口１７から押出されるまでのバレル２内での滞留時間は２分３０秒であり、６０℃に温度設定した押出し口１７から押出されてきた棒状の透明石鹸組成物６を型打ちして成形することによって、縦３５ｍｍ×横６５ｍｍ×厚さ１５ｍｍの透明石鹸Ａを得た（図１参照）。
【００４０】
（実施例２）
実施例１において、脂肪酸石鹸３と透明化剤４の投入に同期させて、香料と保湿剤（アロエベラエキス）を１時間当たり１．５ｋｇと０．１５ｋｇの量で定量且つ連続的に投入するようにした。その他は実施例１と同様にして、縦３５ｍｍ×横６５ｍｍ×厚さ１５ｍｍの透明石鹸Ａを得た（図１参照）。
【００４１】
（実施例３）
実施例１において二軸混練押出し機１の押出し口１７から押出されてきた棒状の組成物を８ｍｍ×８ｍｍ×２０ｍｍのチップ状に粗砕して混練物８とした。そして、二軸混練押出し機１の混練スクリュー５を７０ｒｐｍで回転駆動しながら、この混練物８を定量供給機２１から二軸混練押出し機１のホッパー１２に、１時間当たり２００ｋｇの量で定量且つ連続的に投入し、またこの供給と同期させて、グリセリン１８質量％、ソルビトール２２質量％、水６０質量％の組成の透明化剤４を定量供給ポンプ２２から二軸押出し機１の液注入口１３に、１時間当たり１６．６７ｋｇの量で定量且つ連続的に投入した。
【００４２】
混練物８が二軸混練押出し機１に投入されてから押出し口１７から押出されるまでのバレル２内での滞留時間は２分２０秒であり、５５℃に温度設定した押出し口１７から押出されてきた棒状の透明石鹸組成物６を型打ちして成形することによって、縦３５ｍｍ×横６５ｍｍ×厚さ１５ｍｍの透明石鹸Ａを得た（図３参照）。
【００４３】
（実施例４）
実施例３において、二軸混練押出し機１の押出し口１７にブレーカープレートを取り付け、混練物８と透明化剤４の投入に同期させて、香料と保湿剤（アロエベラエキス）を１時間当たり２．０ｋｇと０．２ｋｇの量で定量且つ連続的に投入するようにした。
【００４４】
混練物８が二軸混練押出し機１に投入されてから押出し口１７から押出されるまでのバレル２内での滞留時間は２分２０秒であり、５５℃に温度設定した押出し口１７のブレーカープレートからヌードル状に押出されてきた透明石鹸組成物６をカットして、直径６ｍｍ、長さ２０ｍｍにチップ化した。そしてこのチップ状の透明石鹸組成物６を、化粧石鹸の製造に使用される通常の一軸混練押出し機に投入して、温度４５℃の押出し口から棒状に押出し、これを型打ちして成形することによって、縦３５ｍｍ×横６５ｍｍ×厚さ１５ｍｍの透明石鹸Ａを得た（図３参照）。
【００４５】
（比較例１）
パドルミキサーに実施例１と同様な脂肪酸石鹸３を１５０ｋｇ量り込み、これに実施例１と同様な組成の透明化剤４を２９．５ｋｇ加えて攪拌混合した。
【００４６】
そしてこの脂肪酸石鹸３と透明化剤４の混合物を二軸混練押出し機１のホッパー１２に定量供給機２１から１時間当たり１５０ｋｇの量で定量且つ連続的に投入した。しかし、ホッパー１２内で混合物がブリッジ現象を起こして、二軸混練押出し機１のバレル２内に混合物を定量且つ連続的に送り込むことができず、６０℃に温度設定した押出し口１７から非定量、非連続に透明石鹸組成物６が押出された。押出された棒状の透明石鹸組成物６を型打ちして成形することによって、縦３５ｍｍ×横６５ｍｍ×厚さ１５ｍｍの透明石鹸Ａを得た。
【００４７】
（比較例２）
牛脂とヤシ油が８：２の質量比の脂肪酸石鹸ニートソープ１００ｋｇと、グリセリン３．８ｋｇ、ソルビトール４．７ｋｇ、パルミチン酸１．７ｋｇからなる透明化剤を、１１０℃で溶融混合した後、真空乾燥機で乾燥してチップ状の透明石鹸組成物を得た。次にこの透明石鹸組成物を三本ロールで三回混練した後、化粧石鹸の製造に使用される通常の一軸混練押出し機に投入して、温度５５℃の押出し口から棒状に押出し、これを型打ちして成形することによって、縦３５ｍｍ×横６５ｍｍ×厚さ１５ｍｍの透明石鹸Ａを得た。
【００４８】
上記の実施例１〜３及び比較例１〜２で得た透明石鹸について、透明性試験と、溶け崩れ試験を行なった。これらの結果を表１に示す。
【００４９】
透明性試験は、各実施例及び各比較例で成形した透明石鹸を３０個ずつ無作為に抜き取り、分光色差計（ミノルタ株式会社製「ＣＭ−３６００ｄ」）を用いて、ハンターＬａｂ値を透過法（測定方向：透明石鹸の厚み方向）で測定することによって行ない、透明度をＬ値（数値が高いほど透明度が高い）で評価した。Ｌ値は、３０個の試料の平均値で示し、またその標準偏差を示した。
【００５０】
溶け崩れ試験は、各実施例及び各比較例で得た縦３５ｍｍ×横６５ｍｍ×厚さ１５ｍｍの透明石鹸を、８５℃〜９０℃に加温した蒸し器で２時間蒸し、透明石鹸の溶け崩れの度合い目視観察することによって行なった。そして、溶け崩れのないものを「◎」、殆ど溶け崩れのないものを「○」、少し溶け崩れのあるものを「△」、殆ど溶け崩れてしまったものを「×」と評価した。
【００５１】
【表１】
2006028239.tif 000003
【００５２】
表１にみられるように、各実施例のものは、Ｌ値が高くて透明度が高く、またＬ値の標準偏差が小さく、バラツキのない安定した透明度を示すものであった。特に、混練物を二軸混練押出し機に再度通すようにした実施例３，４のものは、透明度が一層向上するものであった。
【図面の簡単な説明】
【００５３】
【図１】本発明の実施の形態の一例を示す概略図である。
【図２】二軸混練押出し機の型式を説明する一部の平面断面図である。
【図３】本発明の他の実施の形態の一例を示す概略図である。
【符号の説明】
【００５４】
１  二軸混練押出し機
２  バレル
３  脂肪酸石鹸
４  透明化剤
５  混練スクリュー
６  透明石鹸組成物
７  添加剤
８  混練物
【図１】
2006028239.tif 000004
【図２】
2006028239.tif 000005
【図３】
2006028239.tif 000006